(57)【要約】【課題】簡単な構成で、意図しない蓋体への接触で蓋体が開放してしまうのを防止する。【解決手段】インクカートリッジ装填部１０４に形成された開口を開放、閉塞状態とすべく一端部が回動軸３０５で取り付けられ、他端部に前カバーロック突部１０８を配置した前カバー１１５と、前カバーロック突部１０８が押圧されることでロック状態及びロック解除状態にするプッシュラッチ装置４００と、前カバーロック突部１０８がプッシュラッチ装置４００に係合する前に前カバー１１５に回動を禁止する回動規制突起３０４とを備え、前カバーロック突部１０８が形成される前カバー１１５の他端部を機器本体側に向け変形可能とするよう切欠部３０３，３０３を形成し、前カバー１１５の回動が規制された状態で切欠部３０３付近が変形して前カバーロック突部１０８がプッシュラッチ装置４００を押圧されロック状態又はロック解除状態にする。【選択図】図６
2010232296.tif 000002
【特許請求の範囲】
【請求項１】
機器本体に形成された開口を開放状態及び閉塞状態とすべく一端部が前記機器本体に回動軸を介して取り付けられると共に、前記回動軸で取り付けられた側と反対側である他端部の機器本体側に係合部を配置した蓋体と、
前記機器本体に配置され前記蓋体の係合部が押圧されることにより蓋体と機器本体とをロック状態及びロック解除状態にするプッシュラッチ装置と、
前記係合部が前記プッシュラッチ装置に係合する前に蓋体に当接して前記蓋体の回動を禁止する回転規制部とを備え、
前記係合部が配置された蓋体の他端部に機器本体側に向け変形可能な弾性変形部を形成し、前記蓋体が前記回動規制部で回動が規制された状態で前記弾性変形部を押圧したとき変形前記係合部が前記プッシュラッチ装置を押圧し、前記蓋体を前記機器本体に対してロック状態又はロック解除状態にすることを特徴とする蓋体の開閉装置。
【請求項２】
前記蓋体が前記開口を開放状態としているか、閉塞状態としているかを検出する検出手段を備えることを特徴とする請求項１記載の蓋体の開閉装置。
【請求項３】
前記回転規制部は、前記検出手段が前記蓋体の閉塞状態を検出する前に蓋体の回動を禁止することを特徴とする請求項２記載の蓋体の開閉装置。
【請求項４】
前記回動規制部は、前記蓋体が前記回動規制部によって回動が規制された状態で前記回動軸と前記弾性変形部との間に位置し、
前記回動規制部により前記開閉カバーの回動が規制された状態における前記弾性変形部と前記開口部の縁部との距離は、前記回動規制部の高さにほぼ等しいことを特徴とする請求項１乃至３のいずれか記載の蓋体の開閉装置。
【請求項５】
前記回動規制部は、前記蓋体が前記回動規制部によって回動が規制された状態で前記回動軸と前記弾性変形部との間に位置し、
前記回動規制部の高さは、前記回動規制部により前記蓋体の回動が規制された状態で前記弾性変形部が弾性変形して前記プッシュラッチ装置を押圧してロック状態及びロック解除状態に動作可能な距離と略等しいことを特徴とする請求項１乃至４のいずれか記載の蓋体の開閉装置。
【請求項６】
請求項１乃至５のいずれか記載の蓋体の開閉装置を備えることを特徴とする電子装置。
【請求項７】
請求項１乃至５のいずれか記載の蓋体の開閉装置を備えることを特徴とする画像形成装置。
【発明の詳細な説明】
【技術分野】
【０００１】
本発明は蓋体の開閉装置、電子装置及び画像形成装置に係り、特に機器本体に一端側が回動軸を介して取り付けられ、機器本体に形成された開口を開放状態及び閉塞状態にする蓋体と、前記機器本体に配置され、前記蓋体に設けられた係合部が押圧されることにより覆体を機器本体に対してロック状態及びロック解除状態とするプッシュラッチ装置とを備えた蓋体の開閉装置及びこの開閉装置を備えた電子装置及び画像形成装置に関する。
【背景技術】
【０００２】
上述のような蓋体をロック状態ロック解除状態とする蓋体の開閉装置としてプッシュラッチ装置を使用したものがある。特許文献１には、開いた状態のカバー（蓋体）を閉じるとき、カバーを閉じながら押すことでカバーがロック状態とされ、一方、カバーをあけるとき、閉じた状態のカバーを押すことでロック状態が解除されカバーを容易に開放状態とすることができる開閉装置が記載されている。
【０００３】
このようなプッシュラッチ装置を備えた開閉装置は、テレビのラックや各種の収納棚の他に、画像形成装置等の電子装置にも使用されている。特許文献２には、本体側に設けられるプッシュラッチ装置と、本体に対して回動自在に接続される扉体の裏面側に設けられる係合構造部とを備え、プッシュラッチ装置は扉体側に突出する押込みロッドを有し、該押込みロッドと一体になって摺動するスライダと、該スライダの動きに連動して本体内に収容される係合解除位置と本体外に突出する係合位置との間で回動するフックレバーとを備え、係合構造部はフックレバーのレバーアーム先端に設けられている係合爪の進入を受け入れる受入れ凹部と、受入れ凹部内に進入した係合爪と係合する係合片とを備え、この開閉装置をインクジェットプリンタに適用したものが記載されている。
【発明の概要】
【発明が解決しようとする課題】
【０００４】
しかしながら、特許文献１に記載された開閉装置にあっては、カバーと本体側との間には、ラッチの係合を解除時においてカバーを移動させる隙間を設けなければならない。このため、ロック状態を解除するとき、ロック部付近に対応する以外のカバー領域を押してもロックが解除してしまうこととなる。このようなプッシュラッチ装置を電子装置に採用すると、ユーザーが意図せずカバーに触れてしまうことで、簡単にカバーのロックが解除され、電子装置の動作が停止してしまう可能性がある。
【０００５】
また、特許文献２のように、プッシュラッチ装置に加えてフックレバーを設ける構成や、上記問題に対し動作中に電気的にロックさせる構成をとると、部品点数が多くなり、装置も大型化してしまうという問題がある。
【０００６】
そこで、本発明は簡単な構成で、意図しない蓋体への接触により蓋体が開放してしまうことを防止することができる蓋体の開閉装置及び画像形成装置を提供することを目的とする
【課題を解決するための手段】
【０００７】
請求項１の発明は、機器本体に形成された開口を開放状態及び閉塞状態とすべく一端部が前記機器本体に回動軸を介して取り付けられると共に、前記回動軸で取り付けられた側と反対側である他端部の機器本体側に係合部を配置した蓋体と、前記機器本体に配置され前記蓋体の係合部が押圧されることにより蓋体と機器本体とをロック状態及びロック解除状態にするプッシュラッチ装置と、前記係合部が前記プッシュラッチ装置に係合する前に蓋体に当接して前記蓋体の回動を禁止する回転規制部とを備え、前記係合部が配置された蓋体の他端部に機器本体側に向け変形可能な弾性変形部を形成し、前記蓋体が前記回動規制部で回動が規制された状態で前記弾性変形部を押圧したとき変形前記係合部が前記プッシュラッチ装置を押圧し、前記蓋体を前記機器本体に対してロック状態又はロック解除状態にすることを特徴とする蓋体の開閉装置である。
【０００８】
請求項２の発明は、請求項１記載の蓋体の開閉装置において、前記蓋体が前記開口を開放状態としているか、閉塞状態としているかを検出する検出手段を備えることを特徴とする。
【０００９】
請求項３の発明は、請求項２記載の蓋体の開閉装置において、前記回転規制部は、前記検出手段が前記蓋体の閉塞状態を検出する前に蓋体の回動を禁止することを特徴とする。
【００１０】
請求項４の発明は、請求項１乃至３のいずれか記載の蓋体の開閉装置において、前記回動規制部は、前記蓋体が前記回動規制部によって回動が規制された状態で前記回動軸と前記弾性変形部との間に位置し、前記回動規制部により前記開閉カバーの回動が規制された状態における前記弾性変形部と前記開口部の縁部との距離は、前記回動規制部の高さにほぼ等しいことを特徴とする。
【００１１】
請求項５の発明は、請求項１乃至４のいずれか記載の蓋体の開閉装置において、前記回動規制部は、前記蓋体が前記回動規制部によって回動が規制された状態で前記回動軸と前記弾性変形部との間に位置し、前記回動規制部の高さは、前記回動規制部により前記蓋体の回動が規制された状態で前記弾性変形部が弾性変形して前記プッシュラッチ装置を押圧してロック状態及びロック解除状態に動作可能な距離と略等しいことを特徴とする。
【００１２】
請求項６の発明は、請求項１乃至５のいずれか記載の蓋体の開閉装置を備えることを特徴とする電子装置である。
【００１３】
請求項７の発明は、請求項１乃至５のいずれか記載の蓋体の開閉装置を備えることを特徴とする画像形成装置である。
【発明の効果】
【００１４】
本発明に係る蓋体の開閉装置によれば、回動規制部を備え、蓋体に配置した弾性変形部以外で個所ではプッシュラッチ装置を押圧できない状態とでき、蓋体に配置された弾性変形部を変形させて、係合部をプッシュラッチ装置に押圧させロック状態及びロック解除状態とするので、簡単な構成により蓋体への接触による意図しない蓋体の開放が防止され、ひいては画像形成装置等電子機器の動作が停止することを防止できる。
【００１５】
また、
【図面の簡単な説明】
【００１６】
【図１】実施例に係る画インクジェット記録装置を示す斜視図である。
【図２】前カバーが開いた状態のインクジェット記録装置を示す斜視図である。
【図３】プッシュラッチ装置の要部の構成を示すものであり、（ａ）は係止状態を示す断面図、（ｂ）は開放状態を示す断面図である。
【図４】実施例に係る画像形成装置の前カバーを示す斜視図である。
【図５】実施例に係る開閉装置の作動状態を示すものであり、（ａ）は前カバーの開放状態を示す断面図、（ｂ）は前カバーの閉塞状態を示す断面図である。
【図６】実施例に係る開閉装置のプッシュラッチ装置の作動を示すものであり、（ａ）はプッシュラッチ装置のロック解除状態を示す断面図、（ｂ）はブッシュラッチ装置のロック状態を示す断面図である。
【図７】実施例に係る開閉装置の前カバーロック突部付近を示すものであり、（ａ）は非変形時を示す模式図、（ｂ）は変形時を示す模式図である。
【図８】第２の実施例に係る開閉装置を示すものであり、（ａ）は前カバーの開放状態を示す断面図、）ｂ）は前カバーの閉塞状態を示す断面図である。
【発明を実施するための形態】
【００１７】
本発明の開閉装置はインクジェット記録装置の機器本体に形成されたインクカートリッジ装填部の開口を開放状態及び閉塞状態とすべく一端部が前記機器本体に回動軸を介して取り付けられると共に、前記回動軸で取り付けられた側と反対側である他端部の機器本体側に係合部を配置した前カバーと、前記機器本体に配置され前記蓋体の係合部が押圧されることにより蓋体と機器本体とをロック状態及びロック解除状態にするプッシュラッチ装置と、前記係合部が前記プッシュラッチ装置に係合する前に前カバーに当接して前記前カバーの回動を禁止する回転規制部と、を備えている。また、前記係合部が配置された前カバーの他端部には機器本体側に向け変形可能な弾性変形部を形成し、前記前カバーが前記回動規制部で回動が規制された状態で前記弾性変形部を押圧したとき変形前記係合部が前記プッシュラッチ装置を押圧し、前記前カバーを前記機器本体に対してロック状態又はロック解除状態にする。
【００１８】
また、開閉装置には、前記前カバーが前記インクカートリッジ装填部の開口を開放状態としているか、閉塞状態としているかを検出する検出手段を設け、これにより、前カバーが開放状態のとき装置の作動を禁止している。
【００１９】
また、開閉装置の回転規制部は、前記検出手段が前記前カバーの閉塞状態を検出する前に前カバーの回動を禁止するものとしている。
【００２０】
また、開閉装置の回動規制部は、前記前カバーが前記回動規制部によって回動が規制された状態で前記回動軸と前記弾性変形部との間に位置し、前記回動規制部により前記開閉カバーの回動が規制された状態における前記弾性変形部と前記開口部の縁部との距離は、前記回動規制部の高さにほぼ等しいものとしている。
【００２１】
そして、開閉装置の回動規制部は、前記前カバーが前記回動規制部によって回動が規制された状態で前記回動軸と前記弾性変形部との間に位置し、前記回動規制部の高さは、前記回動規制部により前記前カバーの回動が規制された状態で前記弾性変形部が弾性変形して前記プッシュラッチ装置を押圧してロック状態及びロック解除状態に動作可能な距離と略等しいものとしている。
【実施例】
【００２２】
以下実施例に係る画像形成装置について説明する。本実施例では、蓋体として開閉する前カバーを備えたインクジェット記録装置を例として説明する。図１は実施例に係るインクジェット記録装置を示す斜視図、図２は前カバーが開いた状態のインクジェット記録装置を示す斜視図である。このインクジェット記録装置は、用紙に画像を記録する画像形成部を収容する装置本体１０１と、装置本体１０１に装着した用紙を装填するための給紙トレイ１０２と、装置本体１０１に装着され画像形成部により画像が記録（形成）された用紙をストックするための排紙トレイ１０３とを備える。また、装置本体１０１には、上面が略平坦な面に形成された上カバー１１１と、上カバー１１１の上面に対して斜め下後方に傾斜した前面１１２と、この傾斜した前面１１２の下方側に配置され前方（手前側）に突き出した排紙トレイ１０３及び給紙トレイ１０２とを備える。
【００２３】
さらに、このインクジェット記録装置は、前記前面１１２の一端部側に、前面１１２から前方側に突き出し、上カバー１１１よりも低くなった個所にインク収容容器装填部であるインクカートリッジ装填部１０４を有しており、このインクカートリッジ装填部１０４の上面に操作キーや表示器などの操作部１０５が配置されている。
【００２４】
そして、インクカートリッジ装填部１０４の開口には、インク収容容器であるインクカートリッジ１の脱着を行うための開閉可能な蓋体である前カバー１１５が配置されている。前カバー１１５は、図示していない回転軸により一端である下端部が装置本体１０１に対して回動自在に配置され、この回転軸を中心に回転されることによりインクカートリッジ装填部１０４の開口を開放状態又は閉塞状態とする。
【００２５】
また、装置本体１０１には、開閉検知孔１０６が設けられており、前カバー１１５の係合突起１０７が前カバー１１５の開閉で開閉検知孔１０６に挿抜されることで、前カバーが開放されているか否かを検知する。本例ではこれらにより前記前カバー１１５が開口を開放状態としているか閉塞状態としているかを検出する検出手段を構成する。また、前カバー１１５の前カバー回動軸と反対側（自由端側）である他端部には、インクカートリッジ装填部１０４の開口部の上端部ほぼ中央に設けられたプッシュラッチ装置４００（図示していない）の係合部と係合する係合部である鈎状の前カバーロック突部１０８が設けられている。また、前カバー１１５には、前カバー１１５をあけるときに押圧する部位を示す凹又は凸形状で構成される指示部１１０が配置されている。この指示部１１０は、プッシュラッチ装置４００に対応する位置又はその近辺に設けられている。
【００２６】
次に、インクカートリッジ装填部１０４に設けられるプッシュラッチ装置４００の基本的な構成について説明する。図３はプッシュラッチ装置の要部の構成を示すものであり、（ａ）は係止状態を示す断面図、（ｂ）は開放状態を示す断面図である。プッシュラッチ装置４００は、ラッチ本体４０１と、前記前カバーロック突部１０８と係合及び係合解除可能な係合爪４０２とを備えてなる。ラッチ本体４０１は、係合爪４０２を挿入した位置で保持する保持位置（図３（ａ））及びこの保持位置から図中左側に押されることにより保持状態が解除され前方へ飛び出した突出位置（図４（ｂ））の２位置で保持する駆動機構を備える。また、この保持機構は係合爪４０２が突出位置にあるとき、先端が下方に垂れ下がるように構成されている。なお、ラッチ本体４０１の内部機構については、周知であるので詳細な説明を割愛する。
【００２７】
次に前カバー１１５について説明する。図４は実施例に係る画像形成装置の前カバーを示す斜視図である。前カバー１１５は、弾性変形可能な樹脂（例えばＰＣ／ＡＢＳ（ポリカーボネート／アクリロニトリル・ブタジエン・スチレン）等）で構成されており、一端には前記装置本体１０１との間の回動軸３０５が、この回動軸３０５と反対側の他端には前記プッシュラッチ装置に係合する係合部としての前カバーロック突部１０８が形成されている。
【００２８】
前カバー１１５は、薄板状の平板部３０１と、平板部３０１の周囲に立設された起立部３０２と、インクカートリッジ装填部１０４に設けられた回動軸に係合させることで前カバー１１５を装置本体１０１に対して回動可能とする回動軸３０５と、起立部３０２の上辺部３０６から延設された前記前カバーロック突部１０８とが一体で形成されている。
【００２９】
ここで、起立部３０２のうち、前カバーロック突部１０８が設けられている上辺部３０６には、前カバーロック突部１０８を挟んで１対の切欠部３０３，３０３が形成されている。この切欠部３０３，３０３によって、上辺部３０６は、中央部３０２ａと、両端部３０２ｂ，３０２ｃとに分割され、この上辺部３０６は弾性的に湾曲可能となっている（図７参照）。本例ではこれらにより弾性変形部を構成している。
【００３０】
さらに、前カバー１１５には、前記起立部３０２の内側に前カバー１１５を閉じたときに、インクカートリッジ装填部１０４の開口縁１０４ａ（図２参照）と当接し、前カバー１１５のそれ以上の回動を禁止する回動規制部として回動規制突起３０４が形成されている。図４中右下側の起立部３０２に隠れて表示されていないが、本例では、回動規制突起３０４は、対向する辺（図中右下側の起立部３０２の内側）にも同様に形成されている。ここで回動規制突起３０４は、前記操作部１０５が回動規制突起３０４によって回動が規制された状態で前記回動軸３０５と弾性変形部との間に位置するものであり、前記回動規制突起３０４により前記前カバー１１５の回動が規制された状態における弾性変形部が形成される平板部３０１と前記開口縁１０４aとの距離ｄは、前記回動規制部の高さｈにほぼ等しく設定されている（図５（ｂ）参照）。また、回動規制突起３０４の高さｈは、平板部３０１から上方へ向かう長さ）は、これらの回動規制突起３０４により前カバー１１５の回動が停止された状態において、前記中央部３０２ａが弾性変形して前カバーロック突部１０８が係合爪４０２を押してロック及びロック解除可能な分だけの距離Ｄに設定されている（図６（ａ）参照）。
【００３１】
次に、インクジェット記録装置においてインクカートリッジ１を交換する際における前カバー１１５の開閉について説明する。図５は実施例に係る開閉装置の作動状態を示すものであり、（ａ）は前カバーの開放状態を示す断面図、（ｂ）は前カバーの閉塞状態を示す断面図、図６は実施例に係る開閉装置のプッシュラッチ装置の作動を示すものであり、（ａ）はプッシュラッチ装置のロック解除状態を示す断面図、（ｂ）はブッシュラッチ装置のロック状態を示す断面図である、図７は実施例に係る前カバーの前カバーロック突部付近を示すものであり、（ａ）は非変形時を示す模式図、（ｂ）は変形時を示す模式図である。
【００３２】
前カバー１１５を開状態から回動させると、図５（ａ）に示すように、前カバー１１５が開放された状態から、図５（ｂ）に示すように、前カバー１１５を閉じることができる。このとき、前カバー１１５の回動の途中で、回動規制突起３０４が開口縁１０４ａに当接し、前カバー１１５は、これ以上回動できない状態になる。このとき、係合爪４０２は図５（ｂ）に示すように、垂れた状態であり、図６（ｂ）に示すように、前カバーロック突部１０８は、係合爪４０２に係合していない。また、このとき前カバー１１５の上辺部３０６は、図７（ａ）に示すように変形していない。
【００３３】
この状態で、前カバー１１５の指示部１１０又はその付近を押圧すると、図６（ａ）及び図７（ｂ）に示すように、前カバー１１５の上辺部３０６付近が変形して、中央部３０２ａが装置本体１０１側に湾曲し前カバーロック突部１０８がプッシュラッチ装置４００の係合爪４０２に係合する。そして、前カバーロック突部１０８と、プッシュラッチ装置４００とのロック完了後に前カバーへの押圧を解除すると、中央部３０２ａは弾性力で図７（ａ）に示す状態に復帰して、前カバーロック突部１０８は、図６（ｂ）に示すように係合爪４０２に係合した状態となり、前カバー１１５は、開口を閉塞した状態でロック状態となる。
【００３４】
前カバー１１５をロック状態からロック開放状態にするには、前カバー１１５の指示部１１０又はその付近を押圧する。これにより、中央部３０２ａが湾曲して前カバーロック突部１０８がラッチ本体４０１を押圧して、前カバーロック突部１０８は係合爪４０２を押圧して、前カバーロック突部１０８は係合爪４０２とから解除され、係合爪４０２は垂れ下がった状態となる。これにより前カバー１１５はロック解除状態となり、前カバー１１５を開放状態とすることができる、なお、図５及び図６では各部材の前後方向を正確に示すと複雑になることから、インクカートリッジ装填部１０４及び開口縁１０４ａを破線で示し、その他の部材を実線で示している。
【００３５】
このような開閉装置を備えたインクジェット記録装置でインクカートリッジ１の脱着を行うに際し、上述した前カバー１１５の開放動作をすると、図５（ａ）に示すように、前カバーが開放される。このとき、係合突起１０７は、開閉検知孔１０６に挿入されていないため、前カバー１１５は開放されていることが認識され、装置本体１０１は、画像形成動作が指示されても、動作は実行されない。また、このとき、プッシュラッチ装置４００はロック解除状態であり、係合爪４０２は下方に垂れ下がっている。
【００３６】
次に、インクカートリッジ１の脱着作業が完了し、前カバー１１５の閉塞動作を行うと、前カバー１１５の回動軸３０５がインクカートリッジ装填部１０４内に設けられた図示しない係合孔により移動して図５（ｂ）に示す位置になる。このとき、回動規制突起３０４は、開口縁１０４ａに当接しているため、回動軸３０５によるこれ以上の回動が規制される。また、前カバーロック突部１０８の先端部１０８ａは、係合爪４０２と当接しプッシュラッチがロック状態にならない程度に押圧している。さらに、係合突起１０７は、開閉検知孔１０６に挿入されているため、前カバー１１５が閉じたと認識するが、前カバー１１５は、プッシュラッチ装置にロックされていない状態である。そのときの前カバー１１５を上方から見ると図７（ａ）に示す弾性変形をしていない状態となっている。
【００３７】
ここで、中央部３０２ａに対応する位置に設けられている前カバーの指示部１１０又はその付近を押圧すると、回動規制突起３０４よりも上部の起立部３０２のうち中央部３０２ａ、両端部３０２ｂ，３０２ｃが、切り欠き３０３により、図７（ｂ）のように弾性変形する。よって、３０２ａの先端に延設される前カバーロック突部１０８が、図６（ｃ）のように係合爪４０２と係合（ロック状態）する。
【００３８】
その後、押圧している手を前カバー１１５から離すと、図７（ｂ）に示すように、前カバー１１５の上部は若干戻り（図中左側）、ロック作業が完了する。このとき、前カバー１１５の上部は、下部に比べて若干湾曲した状態で保持されている。
【００３９】
このような構成により、従前の機構では前カバー１１５に回動規制突起３０４が設けられていなかったため、回動規制突起３０４の高さ分のストロークにより、回動軸３０５による前カバー１１５の回動でプッシュラッチとロック状態としたのに対して、本実施例では、前カバー１１５を回動して、回動規制突起３０４を開口縁１０４ａに当接させ、その後前カバー１１５の上部をさらに押し込むことで後前カバー１１５の弾性変形によりプッシュラッチ装置とロックさせる二段階でのロック状態にするための手順を経てロック状態となる。
【００４０】
次に、前カバー１１５を開放するときについて説明する。従来の構成の場合、前カバー１１５に回動規制突起３０４が設けられていなかったため、前カバーの中部又は下部を押したとしても、回動規制突起３０４の高さ分のストロークにより、前カバー１１５全体が回動し、プッシュラッチとのロックを解除可能であった。これに対し、本実施例の場合、回動規制突起３０４付近及びそれよりも下側を押しても、回動規制突起３０４が開口縁１０４ａと当接しているため、前カバー１１５は回動しない。本例では、前カバー１１５の指示部１１０及びその周辺を押圧すると、図７（ａ）に示すように上辺部３０６の中央部３０２ａが弾性変形し、前カバーロック突部１０８により、プッシュラッチ装置４００の係合爪４０２が押圧されてプッシュラッチ装置のロック状態が解除されるとともに、前カバーロック突部１０８との係合が解除される。その後、前カバー１１５を手前側に倒すことで前カバー１１５を開放することができる。
【００４１】
以上説明したように、本実施例において、前カバー１１５は、指示部１１０及びその周辺を押したときだけ前カバー１１５が開放可能な状態となることから、不用意に前カバーと接触してカバーが開放してしまうことを防止することができる。
【００４２】
なお、上記例では、指示部１１０を押圧したときを説明したが、例えば切欠部３０３，３０３に対応する位置や両端部３０２ｂ，３０２ｃに対応する位置の前カバー１１５を押しても切欠部３０３の作用により押圧した部分が弾性変形し、この変形にともない中央部３０２ａも弾性変形するため、前カバーロック突部１０８の先端部１０８ａが係合爪４０２を押圧してロック及びロック解除することができる。
【００４３】
次に本発明の第２の実施例について説明する。図８は第２の実施例に係る開閉装置を示すものであり、（ａ）は前カバーの開放状態を示す断面図、（ｂ）は前カバーの閉塞状態を示す断面図である。本実施例では、前記第１の位置規制装置として開口縁１０４ａの一部に形成（回動規制段差部１０４ｂ）した点で相違する。その他の構成は第１の実施形態と同じであるため、詳細な説明は割愛する。
【００４４】
本例によれば、前カバー１１５の指示部１１０及びその周辺を押圧したときに前カバー１１５のロックが解除されるように、開口縁１０４ａの左右方向の辺それぞれに回動規制段差部１０４ｂが形成されている。回動規制段差部１０４ｂの高さは、第１の実施形態で説明した回動規制突起３０４と同じように設定される。本例によれば、前カバー１１５を閉じると、回動規制段差部１０４ｂが平板部３０１の表面に当接し、回動が規制される（図７（ｂ））。その後、指示部１１０及びその周辺を押圧すると、上辺部３０６が弾性変形して、前カバーロック突部１０８が係合爪４０２をさらに押し付けることでプッシュラッチ装置４００がロック状態になり、押圧した手を離すと、前カバーロック突部１０８と係合爪４０２とが係合される。
【００４５】
なお、上記第１及び第２の実施例では前カバー１１５の回動軸を下方に設けた例を示したが、回動軸は左右方向の端部に設けるものであってもよい。また、前カバー１１５には起立部を設ける例を示したが、起立部を設けない構成であってもよい。さらに、回動規制突起３０４を前カバー１１５に、回動規制段差部１０４ｂを開口縁１０４ａに一体成形した例を挙げたが、別部材を取り付けるようにしてもよい。この場合、前カバーのロック解除可能な位置を微調整可能なように回動規制突起３０４又は回動規制段差部１０４ｂを位置変更可能に設けてもよい。また、回動規制突起の個数を多く設けるか回動規制段差部の長さを長くすれば、回動規制部及び回動規制段差部への局所的な負荷集中を分散することができる。
【００４６】
また、前記各例では開閉装置を画像形成装置に適用した例を示したが、開閉装置は他の開閉される蓋体を備える電子機器に適用することができる。
【符号の説明】
【００４７】
１：インクカートリッジ
１０１：装置本体
１０２：給紙トレイ
１０３：排紙トレイ
１０４：インクカートリッジ装填部
１０４ａ：開口縁
１０４ｂ：回動規制段差部
１０５：操作部
１０６：開閉検知孔
１０７：係合突起
１０８：前カバーロック突部
１０８ａ：先端部
１１０：指示部
１１１：上カバー
１１２：前面
１１５：前カバー
３０１：平板部
３０２：起立部
３０２ａ：中央部
３０２ｂ，３０２ｃ：両端部
３０３，３０３：切欠部
３０４：回動規制突起
３０５：回動軸
３０６：上辺部
４００：プッシュラッチ装置
４０１：ラッチ本体
４０２：係合爪
【先行技術文献】
【特許文献】
【００４８】
【特許文献１】特開平７−３４７４６号公報
【特許文献２】特開２００８−２５５５６６号公報
【図１】
2010232296.tif 000003
【図２】
2010232296.tif 000004
【図３】
2010232296.tif 000005
【図４】
2010232296.tif 000006
【図５】
2010232296.tif 000007
【図６】
2010232296.tif 000008
【図７】
2010232296.tif 000009
【図８】
2010232296.tif 000010